(57)【要約】【課題】二次元コードにコード化された暗号鍵に基づいてデータを暗号化して記録する。【解決手段】デジタルカメラ３は、暗号鍵１と命令コード５がコード化された（ステップＳ１）二次元コード２を撮影し、暗号鍵１および命令コード５を読み取る（ステップＳ２）と、撮影モードを通常モードから機密保護モードに切り替え、デジタルカメラ３に挿入された（ステップＳ３）記録媒体４に、撮影した被写体の画像データや動画データ等の撮影データを暗号鍵１に基づいて暗号化した後、記録保存する（ステップＳ４）。【選択図】図１
2007159001.tif 000002
【特許請求の範囲】
【請求項１】
データを暗号化して記録媒体に記録し、再生するデータ記録再生装置であって、
前記データを暗号化するときに使用する暗号鍵を読み取る読み取り手段と、
前記読み取り手段によって読み取られた前記暗号鍵に基づいて前記データを暗号化する暗号化手段と、
前記暗号化手段によって暗号化された前記データを所定の記録媒体に記録する記録手段と
を備えることを特徴とするデータ記録再生装置。
【請求項２】
前記記録媒体に記録された前記データを、前記読み取り手段によって読み取られた前記暗号鍵に基づいて復号する復号手段をさらに備える
ことを特徴とする請求項１に記載のデータ記録再生装置。
【請求項３】
前記暗号鍵は、二次元コードにコード化され、前記読み取り手段は、前記二次元コードにコード化された前記暗号鍵を読み取る
ことを特徴とする請求項１または２に記載のデータ記録再生装置。
【請求項４】
データを暗号化して記録媒体に記録し、再生するデータ記録再生方法であって、
前記データを暗号化するときに使用する暗号鍵を読み取る読み取りステップと、
前記読み取りステップにおいて読み取られた前記暗号鍵に基づいて前記データを暗号化する暗号化ステップと、
前記暗号化ステップにおいて暗号化された前記データを所定の記録媒体に記録する記録ステップと
を備えることを特徴とするデータ記録再生方法。
【請求項５】
前記記録媒体に記録された前記データを、前記読み取りステップにおいて読み取られた前記暗号鍵に基づいて復号する復号ステップをさらに備える
ことを特徴とする請求項４に記載のデータ記録再生方法。
【請求項６】
前記暗号鍵は、二次元コードにコード化され、前記読み取りステップにおいては、前記二次元コードにコード化された前記暗号鍵を読み取る
ことを特徴とする請求項４または５に記載のデータ記録再生方法。
【請求項７】
データを暗号化して記録媒体に記録し、再生するデータ記録再生装置を制御するデータ記録再生プログラムであって、
前記データを暗号化するときに使用する暗号鍵を読み取る読み取りステップと、
前記読み取りステップにおいて読み取られた前記暗号鍵に基づいて前記データを暗号化する暗号化ステップと、
前記暗号化ステップにおいて暗号化された前記データを所定の記録媒体に記録する記録ステップとを前記データ記録再生装置に実行させる
ことを特徴とするデータ記録再生プログラム。
【請求項８】
前記記録媒体に記録された前記データを、前記読み取りステップにおいて読み取られた前記暗号鍵に基づいて復号する復号ステップをさらに備える
ことを特徴とする請求項７に記載のデータ記録再生プログラム。
【請求項９】
前記暗号鍵は、二次元コードにコード化され、前記読み取りステップにおいては、前記二次元コードにコード化された前記暗号鍵を読み取る
ことを特徴とする請求項７または８に記載のデータ記録再生プログラム。
【発明の詳細な説明】
【技術分野】
【０００１】
本発明はデータ記録再生装置に関し、特に、データを暗号化して記録するデータ記録再生装置に関するものである。
【背景技術】
【０００２】
従来のデジタルカメラのデータ保存方法について図６を参照して説明する。図６に示すように、従来のデジタルカメラ１１は、撮影した画像データや動画データ等の撮影データを記録媒体４に汎用データ形式（例えば、ｊｐｅｇ（Ｊｏｉｎｔ  Ｐｈｏｔｏｇｒａｐｈｉｃ  Ｅｘｐｅｒｔｓ  Ｇｒｏｕｐ）やｇｉｆ（Ｇｒａｐｈｉｃ  Ｉｎｔｅｒｃｈａｎｇｅ  Ｆｏｒｍａｔ）など）で書き込む（ステップＳ８）。そして、記録媒体４に書き込まれた撮影データを読み取り、図示しない表示部に表示する（ステップＳ９）。
また、撮像装置と画像再生装置とを備え、撮像装置は、暗号キー格納部に格納されている暗号キーを用いて画像信号を暗号化することにより、暗号信号を生成する画像信号処理部を有し、画像再生装置は、復号キー格納部に格納されている、上記暗号キーに対応する復号キーを用いて、暗号信号から画像信号を復号化する信号変換部、および復号化された画像信号に基づいて被写体の画像を再生する再生部とを有し、他人が無断で画像を再生できない画像再生システムを提供するようにしたものがある（例えば、特許文献１参照）。    
【特許文献１】特開２００２−３２０１９４号公報
【発明の開示】
【発明が解決しようとする課題】
【０００３】
しかしながら、従来のデジタルカメラ１１においては、次のような課題があった。第１の課題は、デジタルカメラ１１を紛失した場合、もしくは第三者によってデジタルカメラ１１の記録媒体４が盗まれた場合、撮影後に記録媒体４に記録したデータが第三者に流出してしまう恐れがあるということである。即ち、デジタルカメラ１１によって撮影された画像や動画等のデータは、不揮発性メモリ等からなる記録媒体４に書き込まれるが、記録媒体４はデジタルカメラ１１に装着したままの状態が多いため、デジタルカメラ１１を紛失、または盗難した場合などにおいては、デジタルカメラ１１に装着されたままの記録媒体４に記録されているデータが第三者に流出してしまう恐れがある。
また、特許文献１に記載の発明においては、画像再生システムの暗号キー格納部に暗号キーを格納し、復号キー格納部に復号キーを格納する。従って、復号キーを有する画像再生装置でしか再生を行うことができないという問題があった。
本発明はこのような状況に鑑みてなされたものであり、上記問題点を解決できるデータ記録再生装置を提供することを目的とする。
【課題を解決するための手段】
【０００４】
請求項１に記載のデータ記録再生装置は、データを暗号化して記録媒体に記録し、再生するデータ記録再生装置であって、データを暗号化するときに使用する暗号鍵を読み取る読み取り手段と、読み取り手段によって読み取られた暗号鍵に基づいてデータを暗号化する暗号化手段と、暗号化手段によって暗号化されたデータを所定の記録媒体に記録する記録手段とを備えることを特徴とする。
また、記録媒体に記録されたデータを、読み取り手段によって読み取られた暗号鍵に基づいて復号する復号手段をさらに備えるようにすることができる。
また、暗号鍵は、二次元コードにコード化され、読み取り手段は、二次元コードにコード化された暗号鍵を読み取るようにすることができる。
請求項４に記載のデータ記録再生方法は、データを暗号化して記録媒体に記録し、再生するデータ記録再生方法であって、データを暗号化するときに使用する暗号鍵を読み取る読み取りステップと、読み取りステップにおいて読み取られた暗号鍵に基づいてデータを暗号化する暗号化ステップと、暗号化ステップにおいて暗号化されたデータを所定の記録媒体に記録する記録ステップとを備えることを特徴とする。
また、記録媒体に記録されたデータを、読み取りステップにおいて読み取られた暗号鍵に基づいて復号する復号ステップをさらに備えるようにすることができる。
また、暗号鍵は、二次元コードにコード化され、読み取りステップにおいては、二次元コードにコード化された暗号鍵を読み取るようにすることができる。
請求項７に記載のデータ記録再生プログラムは、データを暗号化して記録媒体に記録し、再生するデータ記録再生装置を制御するデータ記録再生プログラムであって、データを暗号化するときに使用する暗号鍵を読み取る読み取りステップと、読み取りステップにおいて読み取られた暗号鍵に基づいてデータを暗号化する暗号化ステップと、暗号化ステップにおいて暗号化されたデータを所定の記録媒体に記録する記録ステップとをデータ記録再生装置に実行させることを特徴とする。
また、記録媒体に記録されたデータを、読み取りステップにおいて読み取られた暗号鍵に基づいて復号する復号ステップをさらに備えるようにすることができる。
また、暗号鍵は、二次元コードにコード化され、読み取りステップにおいては、二次元コードにコード化された暗号鍵を読み取るようにすることができる。
【発明の効果】
【０００５】
本発明によれば、撮影した画像や映像等の撮影データを暗号化して記録するようにしたので、第三者へのデータの漏洩を抑制することができる。また、データを暗号化するための暗号鍵を二次元コード化し、その二次元コードに含まれる暗号鍵を読み取るようにしたので、暗号鍵を備えていなくても二次元コードから読み取った暗号鍵に基づいてデータを復号することができる。
【発明を実施するための最良の形態】
【０００６】
以下、本発明の実施の形態について図面を参照して詳細に説明する。図１は、撮影した画像データや動画データ等の撮影データを記録媒体４に保存する手順を示している。本発明の実施の形態としてのデジタルカメラ３は、画像データや動画データ等の撮影データを保存する記録媒体４が挿入されるようになっており、暗号鍵１および命令コード５がコード化されて生成された二次元コード２から暗号鍵１および命令コード５を読み取り、命令コードに基づいて撮影モードを機密保護モードに切り替え、暗号鍵１に基づいて撮影データを暗号化するようになっている。
【０００７】
デジタルカメラ３は、各部を制御する図示しない制御部と、画像を撮像するＣＣＤ（Charge Coupled Device）等の撮像素子と、被写体からの光を撮像素子上に集光させ、被写体の画像を撮像素子上に形成するレンズと、レンズを撮像素子に接近させる向きおよび撮像素子から遠ざかる向きに平行移動させるレンズ駆動部と、各種情報を表示するＬＣＤ（Liquid Crystal Display）等からなる表示部と、各種モードの切り替え、各種設定、および記録した画像データや動画データ等の撮影データの再生の指示等を行うための操作部と、所定の効果音を発生するスピーカと、撮影を指示するためのシャッターと、制御部に対して撮影モードの切り替えを指示するためのリセットスイッチ等から構成されている。
【０００８】
図１に示すように、二次元コード２は、デジタルカメラ３を機密保護モードに切り替えるようにデジタルカメラ３の制御部に指令するための命令コマンド（この例では、「００１０００１０１．．．」）５と、無作為に生成された暗号鍵（この例では、「Ａｂｃｄｅｆ．．．」）１を基にコード化されたものである。そして、命令コマンド５に基づいて、デジタルカメラ３の撮影モードが機密保護モードに切り替えられ、暗号鍵１に基づいて、撮影した被写体の画像に対応する画像データや被写体の動画に対応する動画データ等の撮影データが暗号化されるようになっている。
【０００９】
次に、図１を参照して、撮影した被写体の画像データや動画データ等の撮影データを第三者に閲覧されたくない場合の被写体の撮影手順について説明する。まず、使用者は、暗号鍵１と命令コマンド５とをコード化して二次元コード２のビットマップイメージデータを生成し、生成したビットマップイメージデータを図示しないプリンタを用いて所定の用紙に印刷し、二次元コード２を発行しておく（ステップＳ１）。
【００１０】
次に、使用者は、デジタルカメラ３のレンズを二次元コード２に向け、シャッターを押下し、二次元コード２を撮影する。デジタルカメラ３の制御部は、撮像素子上に形成された画像を解析して焦点からのずれを認識し、レンズ駆動部を制御してレンズを所定方向に移動させ、焦点を二次元コード２に合わせる。
【００１１】
焦点が二次元コード２に合うと、表示部に焦点が合ったことを表すメッセージを表示させるとともに、所定の効果音をスピーカから出力させ、二次元コード２を撮影し、撮影した二次元コード２の画像に対応する画像データを記録媒体４に記録する。即ち、制御部の制御下、撮像素子上に集光された光によって形成された画像に対応する画像データが記録媒体４に供給され、記憶される。次に、制御部は、記録媒体４に記録された二次元コードの画像データから、命令コマンド５と暗号鍵１を読み取る（ステップＳ２）。
【００１２】
次に、デジタルカメラ３の制御部は、読み取った命令コマンド５に基づいて、撮影モードを機密保護モードに切り替える。機密保護モードとは、デジタルカメラ３が被写体を撮影し、撮影した被写体の画像データや動画データ等の撮影データを記録媒体４に書き込む場合において、制御部の制御下、二次元コード２から読み取られた暗号鍵１に基づいて撮影データが暗号化され、暗号化された撮影データが記録媒体４に記録されるというモードである。機密保護モードから通常モードへの切り替えは、デジタルカメラ３の図示しないリセットスイッチを押下することにより行うことができる。
【００１３】
次に、使用者は、デジタルカメラ３に記録媒体４を挿入し（ステップＳ３）、デジタルカメラ３のレンズを被写体に向け、シャッターを押下すると、制御部の制御下、被写体が撮影され、被写体の画像や動画に対応する撮影データが暗号鍵１に基づいて暗号化された後、記録媒体４に保存される（ステップＳ４）。
【００１４】
次に、図２を参照して、デジタルカメラ３により機密保護モードで撮影された被写体の画像データや動画データ等の撮影データを閲覧する手順について説明する。
【００１５】
図２に示すように、機密保護モードで撮影された画像データや動画データ等の撮影データをデジタルカメラ３の表示部に表示して閲覧する場合、まず、使用者は、暗号鍵１と命令コード５をコード化した（ステップＳ１）二次元コード２を用意する。次に、撮影モードを機密保護モードに切り替えるために、デジタルカメラ３のレンズを二次元コード２に向け、使用者がシャッターを押下すると、制御部の制御により焦点が合わされた後、二次元コード２が撮影され、暗号鍵１と命令コード５が読み取られる（ステップＳ２）。
【００１６】
即ち、デジタルカメラ３の制御部は、シャッターが押された後、二次元コード２を撮影し、二次元コード２の画像データをＲＡＭに一旦、記憶させる。次に、ＲＡＭに記憶された二次元コード２の画像データに基づいて、二次元コード２にコード化されている命令コマンド５および暗号鍵１を読み取り、ＲＡＭに記憶させる。次に、制御部は、命令コード５に基づいて、撮影モードを機密保護モードに切り替える。
【００１７】
次に、使用者は、記録媒体４をデジタルカメラ３に挿入する（ステップＳ３）。次に、デジタルカメラ３の撮影モードが機密保護モードに切り替えられた状態で、使用者により操作部が操作され、画像データや動画データ等の撮影データの再生が指示された場合、制御部は、記録媒体４から撮影データを読み出し、読み出した撮影データに対して、暗号鍵１に基づいて復号を行う。
【００１８】
次に、制御部は、復号した撮影データをデジタルカメラ３の表示部に供給する。表示部は制御部により供給された撮影データを表示する（ステップＳ６）。
【００１９】
次に、使用者により操作部が操作され、記録媒体４に格納されている暗号鍵１に基づいて暗号化された撮影データを、デジタルカメラ３にＵＳＢケーブル等で接続されたパーソナルコンピュータ（パソコン）６やプリンタ７等の周辺機器に転送するように指示された場合、制御部は、撮影モードが機密保護モードに切り替えられている場合に限り、記録媒体４に記録されている撮影データをデジタルカメラ３を経由して周辺機器であるパソコン６やプリンタ７に転送する（ステップＳ７）ことができるようになっている。機密保護モードから通常モードへは、デジタルカメラ３のリセットスイッチを操作して切り替えることができるようになっている。
【００２０】
以上、本発明の実施の形態の構成および動作について説明したが、図１の二次元コード２の生成方法や、図１および図２において、デジタルカメラ３が二次元コード２を読み取る方法等は、すでに広く知られており、また本発明とは直接関係しないので、その詳細な構成および動作についての説明は省略する。
【００２１】
図３は、図１に示した、機密保護モードにおける撮影時の手順を詳細に示すフローチャートである。また、図４は、図２に示した、機密保護モードで撮影された画像データや動画データの等の撮影データの再生時の手順を詳細に示すフローチャートである。
【００２２】
まず、図３のフローチャートを参照して、図１に示した、機密保護モードでの撮影時の手順について詳細に説明する。
【００２３】
まず、ステップＳ２１において、使用者がデジタルカメラ３の図示しない電源スイッチを押下すると、デジタルカメラ３が起動される。次に、ステップＳ２２において、使用者は、デジタルカメラ３で撮影する被写体の画像や動画に対応する撮影データが、第三者に漏洩しては困るものであり、機密保護モードで撮影する必要があるものであるか否かを判断する。
【００２４】
使用者が、機密保護モードで撮影する必要がないと判断した場合、起動時に撮影モードとして設定されている通常モードのままでシャッターを押下する。この場合、制御部により、通常モードでの撮影が指示されたと判定され、ステップＳ２６に進む。ステップＳ２６においては、制御部は、通常モードで被写体の画像または動画の撮影を行う。その後、ステップＳ３０に進み、撮影した被写体の画像に対応する画像データ、または被写体の動画に対応する動画データを記録媒体４に供給し、保存する。
【００２５】
一方、使用者が機密保護モードで撮影する必要があると判断した場合、ステップＳ２３において、使用者は二次元コード２を用意し、デジタルカメラ３のレンズを二次元コード２に向け、シャッターを押下する。シャッターが押下されると、制御部は、被写体である二次元コード２に焦点を合わせ、二次元コード２を撮影し、撮影した二次元コード２に対応する画像データをＲＡＭに記憶させる。
【００２６】
次に、制御部は、ステップＳ２４において、ＲＡＭに記憶された二次元コード２から、命令コマンド５と暗号鍵１を読み取る。いま、二次元コード２から読み取られた命令コマンド５は、撮影モードを機密保護モードに切り替えるよう指令するコマンドであるので、制御部は、命令コマンド５に基づいて撮影モードを機密保護モードに切り替え、機密保護モードが開始される（ステップＳ５）。
【００２７】
次に、ステップＳ２６において、使用者がデジタルカメラ３を被写体に向け、シャッターを押下すると、被写体の画像または動画の撮影が行われる。即ち、制御部は、撮像素子上に形成された被写体の像を解析して焦点からのズレを算出し、レンズ駆動部を制御してレンズを所定の方向に移動させ、被写体に焦点を合わせた後、撮像素子上に形成された被写体の画像に対応する画像データまたは被写体の動画に対応する動画データを一旦ＲＡＭに記憶させる。
【００２８】
その後、ステップＳ２７に進み、制御部は、ＲＡＭに記憶された画像データや動画データ等の撮影データを暗号鍵１に基づいて暗号化し、暗号化した画像データや動画データ等の撮影データを記録媒体４に供給し、保存する。その後、機密保護モードでの撮影を終了する場合には、使用者はリセットスイッチを押下する。
【００２９】
次に、ステップＳ２８において、制御部により、機密保護モードでの撮影が完了したか否かが判定される。即ち、使用者によってリセットスイッチが押下されたか否かが判定される。その結果、使用者によってリセットスイッチが押下されておらず、機密保護モードでの撮影が完了していないと判定された場合、ステップＳ２６に戻り、ステップＳ２６以降の処理が繰り返し実行される。一方、使用者によってリセットスイッチが押下され、機密保護モードでの撮影が完了したと判定された場合、ステップＳ２９に進み、制御部は、撮影モードを機密保護モードから通常モードに切り替え、機密保護モードを終了させる。
【００３０】
ステップＳ２９における処理、またはステップＳ３０における処理が終了すると、ステップＳ３１に進む。ステップＳ３１においては、制御部により、使用者によって電源スイッチが操作され、電源のオフが指示されたか否かが判定される。その結果、電源スイッチが操作され、電源のオフが指示されたと判定された場合、撮影可能な状態を解除する所定の終了処理を実行し、デジタルカメラ３の電源をオフにする。
【００３１】
次に、図４のフローチャートを参照して、図２に示した、機密保護モードで撮影された画像データや動画データ等の撮影データの再生時の動作について詳細に説明する。
【００３２】
まず、ステップＳ４１において、使用者がデジタルカメラ３の図示しない電源スイッチを押下すると、デジタルカメラ３が起動される。
【００３３】
次に、ステップＳ４２において、制御部により、記録媒体４に機密保護モードで撮影された撮影データがあるか否かが判定される。その結果、機密保護モードで撮影された撮影データがないと判定された場合、ステップＳ４７に進む。
【００３４】
ステップＳ４７においては、制御部により記録媒体４に保存されている撮影データが再生され、表示部に表示されるとともに、デジタルカメラ３に接続された周辺機器であるパソコン６やプリンタ７に撮影データが転送される。
【００３５】
一方、ステップＳ４２において、制御部により、記録媒体４に機密保護モードで撮影された撮影データがあると判定された場合、ステップＳ４３に進む。
【００３６】
ステップＳ４３において、使用者は二次元コード２を用意し、デジタルカメラ３のレンズを二次元コード２に向け、シャッターを押下する。シャッターが押下されると、ステップＳ４４において、制御部は、被写体である二次元コード２に焦点を合わせ、二次元コード２を撮影し、撮影した二次元コード２に対応する画像データをＲＡＭに記憶させる。
【００３７】
次に、制御部は、ＲＡＭに記憶された二次元コード２から、命令コマンド５と暗号鍵１を読み取る。この例では、二次元コード２から読み取られた命令コマンド５は、撮影モードを機密保護モードに切り替えるよう指令するコマンドであるので、この場合、制御部は、命令コマンド５に基づいてデジタルカメラ３の撮影モードを機密保護モードに切り替え、機密保護モードが開始される（ステップＳ４５）。
【００３８】
次に、ステップＳ４６において、制御部は、記録媒体４に保存されている撮影データを所定の順番で読み出し、二次元コード２から読み取られた暗号鍵１に基づいて復号する。
【００３９】
次に、ステップＳ４７において、制御部は、復号された撮影データを表示部に供給する。表示部は、制御部より供給された撮影データを表示する。さらに、デジタルカメラ３に接続された周辺機器であるパソコン６やプリンタ７へ復号された撮影データが転送される。
【００４０】
次に、ステップＳ４８において、制御部により、機密保護モードでの再生が完了したか否かが判定される。即ち、記録媒体４に保存されている撮影データのすべて、または使用者によって指示されたもののすべての再生が完了したか否かが判定される。
【００４１】
その結果、機密保護モードでの再生が完了していないと判定された場合、ステップＳ４６に戻り、ステップＳ４６以降の処理が繰り返し実行される。一方、機密保護モードでの再生が完了したと判定された場合、ステップＳ４９に進む。
【００４２】
ステップＳ４９においては、使用者によってリセットスイッチが押下されたか否かが制御部により判定され、リセットスイッチが押下されたと判定された場合、制御部は、デジタルカメラ３の撮影モードを機密保護モードから通常モードに切り替える。
【００４３】
ステップＳ４９における処理が終了するか、または、ステップＳ４７において通常モードでの撮影データの再生処理および転送処理が終了すると、ステップＳ５０に進む。ステップＳ５０においては、制御部により、使用者によって電源スイッチが操作され、電源のオフが指示されたか否かが判定される。その結果、電源スイッチが操作され、電源のオフが指示されたと判定された場合、再生可能な状態を解除する所定の終了処理を実行し、デジタルカメラ３の電源をオフにする。
【００４４】
本実施の形態では、予め図１および図２に示した暗号鍵１と命令コード５をコード化して二次元コード２を作成し、デジタルカメラ３に二次元コード２を撮影させる。デジタルカメラ３の制御部は、撮影した二次元コード２からコード化された暗号鍵１と命令コード５を読み取り、命令コード５に基づいてデジタルカメラ３の撮影モードを機密保護モードに切り替える。
【００４５】
次に、機密保護モードで撮影された被写体の画像データや動画データ等の撮影データは、制御部によって二次元コード２にコード化された暗号鍵１に基づき暗号化され、記録媒体４に記録される。機密保護モードで撮影されなかった場合（通常モードで撮影された場合）には、暗号化されることなく記録媒体４に記録される。通常モードで撮影された場合、記録媒体４に記録された撮影データを再生し、デジタルカメラ３の表示部に表示させたり、デジタルカメラ３に接続された周辺機器に転送したりすることができるが、機密保護モードで撮影された撮影データは、二次元コード２にコード化された暗号鍵１を用いて復号しなければ再生して表示部に表示したり、周辺機器に転送することができないようになっている。
【００４６】
このように、デジタルカメラ３は、記録内容の機密保護のために、物理的な鍵などを使うことなく、二次元コード２から読み取った暗号鍵１を用いて、撮影後に記録媒体に記録した被写体の画像データ（撮影記録画像）や動画データ（撮影記録映像）を安全かつ有効に秘匿することが可能となる。
【００４７】
以上説明したように、本実施の形態においては、以下に記載するような効果を奏する。即ち、デジタルカメラ３で撮影された画像データや動画データ等の撮影データを記録媒体４に書き込むときに、撮影データを暗号化して記録媒体４に書き込むので、デジタルカメラ３または記録媒体４を紛失した場合でも、撮影データが再生されて第三者に漏洩することを抑制することができることである。
【００４８】
また、撮影された画像データや動画データ等の撮影データを暗号化するために、物理的な鍵ではなく、暗号鍵１がコード化された二次元コード２を用い、二次元コード２を撮影して暗号鍵１を読み取るようにしたので、二次元コード２を紛失した場合でも、暗号鍵１を構成する文字列さえ把握していれば、二次元コード２を再度生成し、発行することができるので、その二次元コード２にコード化された暗号鍵１に基づいて撮影データを復号することができ、記録した撮影データが再生できなくなるということがないことである。
【００４９】
また、暗号鍵１を装置内に有していないので、暗号鍵１をコード化した二次元コード２があれば、他の装置でも再生が可能である。
【００５０】
また、使用者が暗号鍵１として任意の文字列を設定することができ、その文字列を暗号鍵１としてコード化した二次元コード２を容易に作成することができる。従って、暗号鍵１を頻繁に変更することが容易にでき、より安全性を高めることができる。
【００５１】
図５は、本発明の他の実施の形態において、撮影した画像データや動画データ等の撮影データを暗号化して記録媒体４に保存する手順を示している。図５に示すように、本実施の形態では、デジタルカメラ３に代えて、カメラ付き携帯電話８や、デジタルビデオカメラ９等を用いて撮影した被写体の画像データや動画データ等の撮影データを記録媒体４に暗号化して保存するようにしている。カメラ付き携帯電話８やデジタルビデオカメラ９においても、撮影データを記録媒体４に記録する機能を実行するための構成および手順は、図１および図２に示した実施の形態の場合と基本的には同一であり、記録媒体４に撮影データを暗号化して記録するときに、二次元コード２にコード化された暗号鍵１を用いている。
【００５２】
図５に示した実施の形態においても、図１および図２に示した実施の形態の場合と同様の効果を得ることができる。
【００５３】
なお、上記実施の形態の構成及び動作は例であって、本発明の趣旨を逸脱しない範囲で適宜変更することができることはいうまでもない。
【産業上の利用可能性】
【００５４】
本発明の活用例として、例えば、デジタルカメラだけでなく、カメラ機能を備える他の電子機器にも本発明を適用することができる。
【図面の簡単な説明】
【００５５】
【図１】本発明において、撮影した被写体の撮影データを記録媒体に保存する手順を示す図である。
【図２】本発明において、機密保護モードで撮影された被写体の撮影データを閲覧する手順を示す図である。
【図３】デジタルカメラを用いて撮影した撮影データを記録媒体に保存する詳細な手順を説明するためのフローチャートである。
【図４】デジタルカメラを用いて機密保護モードで撮影された被写体の撮影データを閲覧する詳細な手順を説明するためのフローチャートである。
【図５】携帯電話またはデジタルビデオカメラを用いて撮影した被写体の撮影データを記録媒体に保存する手順を示す図である。
【図６】従来のデジタルカメラを用いて撮影した被写体の画像データや動画データを記録媒体に記録し、再生する手順を説明するためのフローチャートである。
【符号の説明】
【００５６】
１  暗号鍵
２  二次元コード
３  デジタルカメラ
４  記録媒体
５  命令コマンド
６  パソコン
７  プリンタ
８  携帯電話
９  デジタルビデオカメラ
【図１】
2007159001.tif 000003
【図２】
2007159001.tif 000004
【図３】
2007159001.tif 000005
【図４】
2007159001.tif 000006
【図５】
2007159001.tif 000007
【図６】
2007159001.tif 000008